(57)【要約】【課題】サージタンクに水平方向から吸気管を接続する吸気経路において、サージタンクでの吸気の流通抵抗を低減しつつ、吸気の分配性能及び凝縮水の分配性能を向上して凝縮水が特定の気筒に偏って失火することを防止できるようにする。【解決手段】エンジン１の吸気経路３０のサージタンク３８の上流側にＥＧＲガスを導入する外部ＥＧＲ通路５６を接続したエンジンの吸気装置において、吸気経路３０は、サージタンク３８の気筒列の一端側で、サージタンク３８の側部に並設され且つ平面Ｕ字状に屈曲する導入路３０ｂを有している。サージタンク３８の内部には、導入路３０ｂの内部に連続して設けられ、サージタンク３８の底部から上方に立設されると共に、気筒列方向に延びつつ、その高さが漸次低くなるバッフル壁部３８ａが設けられている。【選択図】図３
2020002796.tif 000002
【特許請求の範囲】
【請求項１】
多気筒エンジンに設けられた吸気経路におけるサージタンクの上流側にＥＧＲガスを導入するＥＧＲ通路を接続した多気筒エンジンの吸気装置であって、
前記吸気経路は、前記サージタンクの気筒列の一端側において、前記サージタンクの側部に並設され且つ平面視でＵ字状に屈曲する導入路を有しており、
前記サージタンクの内部には、前記導入路の内部に連続して設けられ、前記サージタンクの底部から上方に立設されると共に、気筒列方向に延びつつ、その高さが漸次低くなるバッフル壁部が設けられている多気筒エンジンの吸気装置。
【請求項２】
請求項１に記載の多気筒エンジンの吸気装置において、
前記サージタンクは、前記気筒列の前記一端側の幅が広く且つ断面容積が大きく、前記気筒列の他端側に向かうに従って幅が狭く且つ断面容積が小さく形成され、
前記バッフル壁部は、前記サージタンクの底部からエンジン本体側に凸となる湾曲状に立設されている多気筒エンジンの吸気装置。
【請求項３】
請求項１又は２に記載の多気筒エンジンの吸気装置において、
前記吸気経路には、水冷式インタークーラが接続されており、
前記ＥＧＲ通路は、前記水冷式インタークーラよりも上流側に接続されている多気筒エンジンの吸気装置。
【発明の詳細な説明】
【技術分野】
【０００１】
本発明は、多気筒エンジンの吸気装置に関する。
【背景技術】
【０００２】
下記の特許文献１には、吸気マニホールドにおけるサージタンクの気筒列の一端側の上部に吸気管を接続し、さらに、サージタンク内の側壁部に水平方向に突き出し、気筒列方向に傾斜して凝縮水を受け止め、受け止めた凝縮水を案内して段階的に落下させる突出部を設ける構成が記載されている。
【先行技術文献】
【特許文献】
【０００３】
【特許文献１】特許第４９１６３８０号公報
【発明の概要】
【発明が解決しようとする課題】
【０００４】
上記の特許文献１は、サージタンクにおける気筒列の一端側の上部から吸気を導入する構成であり、サージタンクの側壁部に設けた突出部により受け止めた凝縮水を気筒列方向に案内して、徐々に落下させている。
【０００５】
しかしながら、吸気管が、サージタンクの気筒列の一端側の略水平方向から接続される構成の吸気経路においては、特許文献１に記載された構成では対応することができず、新たな対応策が必要となるという問題がある。
【０００６】
本発明は、前記従来の問題を解決し、サージタンクにおける気筒列の一端側に水平方向から吸気管を接続する吸気経路において、サージタンクでの吸気の流通抵抗を低減しつつ、吸気の分配性能及び凝縮水の分配性能を向上して、凝縮水が特定の気筒に偏って失火することを防止できるようにすることを目的とする。
【課題を解決するための手段】
【０００７】
前記の目的を達成するため、本発明は、エンジンの吸気経路におけるサージタンクの側部で気筒列の一端側との接続部分に平面Ｕ字状の導入路を配設し、該導入路内の底部に気筒列方向に延びつつその高さが徐々に低くなるバッフル壁部を設ける構成とする。
【０００８】
具体的に、本発明は、多気筒エンジンの吸気装置を対象とし、次のような解決手段を講じた。
【０００９】
すなわち、第１の発明は、多気筒エンジンに設けられた吸気経路におけるサージタンクの上流側にＥＧＲ（排気再循環）ガスを導入するＥＧＲ通路を接続した多気筒エンジンの吸気装置である。吸気経路は、サージタンクの気筒列の一端側において、サージタンクの側部に並設され且つ平面視でＵ字状に屈曲する導入路を有している。サージタンクの内部には、導入路の内部に連続して設けられ、サージタンクの底部から上方に立設されると共に、気筒列方向に延びつつ、その高さが漸次低くなるバッフル壁部が設けられている。
【００１０】
これによれば、サージタンクの一端側（上流側）に近い特定の気筒の吸気マニホールドは、この気筒列方向に延びつつ、その高さが漸次低くなるバッフル壁部によって、より多く遮蔽され、その遮蔽される量は、サージタンクの他端側（下流側）に近い程、減少する。このような構成を採るバッフル壁部によって、サージタンクでの吸気の流通抵抗が低減すると共に、ＥＧＲガスを含む吸気の分配性が向上し、さらに、凝縮水等がサージタンクの一端側の特定の気筒に偏って発生する失火を防止することができる。
【００１１】
第２の発明は、上記第１の発明において、サージタンクは、気筒列の一端側の幅が広く且つ断面容積が大きく、気筒列の他端側に向かうに従って幅が狭く且つ断面容積が小さく形成され、バッフル壁部は、サージタンクの底部からエンジン本体側に凸となる湾曲状に立設されていてもよい。
【００１２】
これによれば、バッフル壁部は、サージタンクの内側に凹状となるので、バッフル壁部の形成に伴う吸気の流通抵抗を低減しつつ、サージタンクにおける下流側の断面容積が小さくなることにより、凝縮水の良好な分配性を確保することができる。
【００１３】
第３の発明は、上記第１又は第２の発明において、吸気経路には、水冷式インタークーラが接続されており、ＥＧＲ通路は、水冷式インタークーラよりも上流側に接続されていてもよい。
【００１４】
これによれば、水冷式インタークーラを構成する冷却コアに滞留する凝縮水が、エンジンの加速運転時に、サージタンクの上流側に近い特定の気筒へ多量に流入する現象を、本発明のバッフル壁部で確実に防止することができる。
【発明の効果】
【００１５】
本発明によれば、サージタンクでの吸気の流通抵抗を低減しつつ、吸気の分配性能及び凝縮水の分配性能を向上することができる。
【図面の簡単な説明】
【００１６】
【図１】図１は本発明の一実施形態に係るエンジンを示す模式的な構成図である。
【図２】図２は本発明の一実施形態に係るエンジンにおける吸気経路を含む平面図である。
【図３】図３は本発明の一実施形態に係るエンジンにおける吸気経路を含む左側面図である。
【図４】図４は本発明の一実施形態に係るエンジンにおける吸気経路を含む左上前方斜視図である。
【図５】図５は本発明の一実施形態に係るエンジンにおけるサージタンク及び吸気導入路を示す左上後方斜視図である。
【図６】図６は図５のVI−VI線における断面斜視図である。
【図７】図７は図５のVII−VII線における断面図である。
【図８】図８は図５のVIII−VIII線における断面図である。
【発明を実施するための形態】
【００１７】
以下、本発明の実施形態を図面に基づいて詳細に説明する。以下の好ましい実施形態の説明は、本質的に例示に過ぎず、本発明、その適用物又はその用途を制限することを意図しない。
【００１８】
（一実施形態）
本発明の一実施形態について図面を参照しながら説明する。
【００１９】
図１は本実施形態に係る過給機付多気筒エンジンであって、ここでは、過給機付エンジン（以下、単に「エンジン」と呼称する。）１の構成を概略的に表している。
【００２０】
エンジン１は、例えば、自動車に搭載される４ストローク式の内燃機関であり、図１に示すように、ターボチャージャ３２を備えている。エンジン１の燃料は、特に限定はされないが、本実施形態においては軽油である。
【００２１】
また、エンジン１は、詳細な図示は省略するが、例えば、列状に配置された４つのシリンダ（気筒）１１を備えており、４つのシリンダ１１が車両の前後方向（車長方向）に沿って並ぶように搭載される、いわゆる直列４気筒の縦置きエンジンとして構成されている。これにより、本構成例においては、４つのシリンダ１１の配列方向（気筒列方向）であるエンジンの前後方向が車長方向とほぼ一致していると共に、エンジン幅方向が車幅方向とほぼ一致している。なお、エンジン１は、直列４気筒の縦置きエンジンに限られず、直列多気筒の縦置き又は横置きエンジンであっても本発明は成立する。
【００２２】
また、直列多気筒エンジンにおいては、気筒列方向と、機関出力軸としてのクランクシャフト１５の中心軸方向（機関出力軸方向）とが一致する。以下の記載では、これらの方向を気筒列方向（又は車長方向）と総称する場合がある。
【００２３】
以下、特に断らない限り、前側とは車両の前後方向における前側（エンジンフロント側）を指し、後側とは車両の前後方向における後側（エンジンリヤ側）を指し、左側とは車幅方向の前方に向かって左側を指し、右側とは車幅方向の前方に向かって右側を指す。
【００２４】
また、以下の記載において、上側とはエンジン１を車両に搭載した状態（以下、「車両搭載状態」ともいう。）における車高方向の上側を指し、下側とは車両搭載状態における車高方向の下側を指す。
【００２５】
（エンジンの概略構成）
本実施形態において、エンジン１は、４つのシリンダ１１を有するエンジン本体１０と、該エンジン本体１０の左側に配置され、吸気ポート１８を介して各シリンダ１１と連通する吸気経路３０と、エンジン本体１０の右側に配置され、排気ポート１９を介して各シリンダ１１と連通する排気通路５０とを備えている。
【００２６】
本構成例では、吸気経路３０は、新気及び排気（以下、吸気と呼ぶ。）を導く複数の通路と、ターボチャージャ３２及びインタークーラ３７等の装置とが組み合わされてユニット化された吸気装置を構成している。
【００２７】
エンジン本体１０は、吸気経路３０から供給された吸気と、各シリンダ１１内でインジェクタ６から噴射された燃料とを所定の燃焼順に従って燃焼させるように構成されている。具体的に、エンジン本体１０は、シリンダブロック１２と、該シリンダブロック１２の上に載置されるシリンダヘッド１３とを有している。
【００２８】
シリンダブロック１２の内部には、前述の４つのシリンダ１１が形成されている。４つのシリンダ１１は、クランクシャフト１５の中心軸方向（気筒列方向）に沿って並んでいる。なお、図１では、１つのシリンダのみを示す。
【００２９】
各シリンダ１１の内部には、ピストン１４が、それぞれ摺動自在に挿入されている。各ピストン１４は、コネクティングロッド１４１を介してクランクシャフト１５と連結されている。各ピストン１４は、シリンダ１１及びシリンダヘッド１３と共に燃焼室１６を区画する。なお、ここでいう「燃焼室」は、ピストン１４が圧縮上死点に至ったときに形成される空間のみの意味に限定されない。「燃焼室」の語は広義で用いる。
【００３０】
シリンダヘッド１３には、１つのシリンダ１１につき、例えば２つの吸気ポート１８が形成されている。図１には１つの吸気ポート１８のみを示す。２つの吸気ポート１８は、気筒列方向に隣接しており、それぞれ対応するシリンダ１１と連通している。
【００３１】
２つの吸気ポート１８には、それぞれ吸気バルブ２１が配設されている。吸気バルブ２１は、燃焼室１６と各吸気ポート１８との間を開閉する。吸気バルブ２１は、吸気動弁機構２３によって所定のタイミングで開閉する。
【００３２】
また、シリンダヘッド１３には、１つのシリンダ１１につき、例えば２つの排気ポート１９が形成されている。図１には１つの排気ポート１９のみを示す。２つの排気ポート１９は、気筒列方向に隣接しており、それぞれ対応するシリンダ１１と連通している。
【００３３】
２つの排気ポート１９には、それぞれ排気バルブ２２が配設されている。排気バルブ２２は、燃焼室１６と各排気ポート１９との間を開閉する。排気バルブ２２は、排気動弁機構２４によって所定のタイミングで開閉する。
【００３４】
シリンダヘッド１３には、シリンダ１１毎にインジェクタ６が取り付けられている。本構成例においては、各インジェクタ６は、例えば多噴口型の燃料噴射弁であり、各燃焼室１６内に、燃料を直接に噴射するように構成されている。
【００３５】
また、本実施形態に係る吸気経路３０は、エンジン本体１０の一側面（具体的には、左側の側面）と接続されており、各シリンダ１１の吸気ポート１８と連通している。すなわち、吸気経路３０は、燃焼室１６に導入される吸気が流れる通路であり、従って各吸気ポート１８を介して燃焼室１６と接続されている。
【００３６】
吸気経路３０におけるエアクリーナ３１とサージタンク３８との間には、上流側から、ターボチャージャ３２のコンプレッサホイール（以下、コンプレッサと呼ぶ。）３２ａ、通常は全開状態にある吸気調整弁３３、及びインタークーラ３７が順次配設されている。吸気調整弁３３は、その開度を調整することによって、燃焼室１６に導入される既燃ガス（ＥＧＲガス）の還流量などを調整するように構成されている。
【００３７】
インタークーラ３７は、ターボチャージャ３２を通過した吸気との間で熱交換をするように構成されたコア（不図示）を収容してなり、ターボチャージャ３２において圧縮された吸気を冷却するように構成されている。インタークーラ３７は、水冷式及び空冷式のいずれでもよく、冷却効率の観点から、ここでは液体冷媒を用いた水冷式としている。
【００３８】
一方、図１に示すように、排気通路５０は、エンジン本体１０の他側面（具体的には、右側の側面）と接続されており、各シリンダ１１の排気ポート１９と連通している。排気通路５０は、燃焼室１６から排出された排気が流れる通路である。詳細な図示は省略するが、排気通路５０の上流部分は、シリンダ１１毎に分岐する独立通路を構成している。これら独立通路の上流端が、各シリンダ１１の排気ポート１９と接続されている。
【００３９】
排気通路５０には、上述したターボチャージャ３２のタービン３２ｂと、一酸化窒素（ＮＯ）、一酸化炭素（ＣＯ）及び炭化水素（ＨＣ）等を酸化するディーゼル酸化触媒（ＤＯＣ）５１及び微粒子を捕集するディーゼル微粒子捕集フィルタ（ＤＰＦ）５２を有する排気浄化システムと、排気の流量を調整する排気シャッターバルブ５３とが配設されている。なお、ここでの排気通路５０には、ターボチャージャ３２のタービン３２ｂへの排気を迂回するウエイストゲートバルブ５４が配設されている。ターボチャージャ３２には、可変容量ターボチャージャを用いることができ、仕様によっては、ウエイストゲートバルブ５４を設けない構成とすることもできる。
【００４０】
また、ＤＰＦ５２の下流側には、窒素酸化物（ＮＯｘ）を浄化する尿素ＳＣＲ（Selective Catalytic Reduction）と、該尿素ＳＣＲからの余剰のアンモニア（ＮＨ３）を酸化するスリップ触媒とを適宜設けてもよい。尿素ＳＣＲ（Selective Catalytic Reduction）には、尿素タンクが付設される。
【００４１】
本構成例の吸気通路３０には、排気通路５０の排気を、排気マニホールド（不図示）の近傍から吸気経路３０におけるインタークーラ３７の下流部分に導入する内部ＥＧＲ（高圧ＥＧＲ）通路５５と、排気通路５０におけるＤＰＦ５２の下流側からターボチャージャ３２のコンプレッサ３２ａの上流側に排気を導入する外部ＥＧＲ（低圧ＥＧＲ）通路５６とが配設されている。内部ＥＧＲ通路５５及び外部ＥＧＲ通路５６は、それぞれ既燃ガスの一部を吸気経路３０に還流させる通路である。
【００４２】
外部ＥＧＲ通路５６には、例えば、水冷式の低圧ＥＧＲクーラ５７が配設される。低圧ＥＧＲクーラ５７は既燃ガスを冷却する。外部ＥＧＲ通路５６を流れる既燃ガスの還流量は、低圧ＥＧＲクーラ５７と、外部ＥＧＲ通路の吸気経路３０との接続部との間に配設された外部ＥＧＲバルブ５８によって調節される。
【００４３】
一方、内部ＥＧＲ通路５５を流れる既燃ガスの還流量は、内部ＥＧＲ通路５５に配設された内部ＥＧＲバルブ５９によって調節される。
【００４４】
（吸気経路の構成）
以下、吸気経路３０の要部の構成について詳細に説明する。
【００４５】
吸気経路３０を構成する各部は、いずれもエンジン本体１０の左側、具体的には、シリンダヘッド１３及びシリンダブロック１２の左側面に沿うように配置されている。なお、吸気経路３０におけるターボチャージャ３２のコンプレッサ３２ａからインタークーラ３７までの部分は、エンジン本体１０の右側面から左側面に、その上側を通過するように配設されている。
【００４６】
図２、図３及び図４は本実施形態に係るエンジン１の平面図、左側面図及び左側面の前方斜視図をそれぞれ表している。図２〜図４に示すように、吸気経路３０におけるターボチャージャ３２から吸気調整弁３３までの部分、すなわち、吸気調整弁３３の上流部分である第１通路３０ａは、エンジン本体１０の上側に配置され、その途中から下り傾斜となるように配設されている。
【００４７】
さらに、インタークーラ３７は、サージタンク３８と並列に配置されると共に、サージタンク３８に対して、接続吸気管３０ｂにより接続されている。なお、インタークーラ３７とサージタンク３８との接続吸気管３０ｂを導入路３０ｂと呼ぶ場合がある。接続吸気管３０ｂは、平面視でＵ字状に形成されてサージタンク３８の気筒列の前方側と接続されている。また、インタークーラ３７の底面は、下流側（前方側）が上流側（後方側）よりも低くなるように傾斜している。接続吸気管３０ｂの管内の底面は、インタークーラ３７の内部の底面の最も低い部分（下流側の端部）よりも低いか同一である。すなわち、接続吸気管３０ｂの管内の底面は、インタークーラ３７の内部の底面よりも高くならないように配置されている。
【００４８】
このように、インタークーラ３７をサージタンク３８と並列に配置して、いわゆるサイドエントリタイプとすると共に、接続吸気管３０ｂの管内の底面をインタークーラ３７の内部の底面よりも低くするか又は同一とすることにより、低圧のＥＧＲガスによる凝縮水が、特にインタークーラ３７及び接続吸気管３０ｂにおいて滞留を生じにくくなる。その上、接続吸気管３０ｂは平面Ｕ字状で滑らかに屈曲しており、吸気流通抵抗が増大することなく、サージタンク３８とインタークーラ３７とが並列に配置しているので、エンジン１のコンパクト化を図ることができる。
【００４９】
（サージタンクの構成）
図５は本実施形態に係る接続吸気管３０ｂ及びサージタンク３８を表し、図６〜図８は、図５のVI−VI線、VII−VII線及びVIII−VIII線における断面構成それぞれを表している。
【００５０】
図６に示すように、サージタンク３８は、そのエンジン本体側の開口部に吸気マニホールド３９が接続されている。さらに、図６〜図８に示すように、サージタンク３８の内部には、接続吸気管（導入路）３０ｂの内部に連続して設けられ、当該サージタンク３８の底部から上方に立設されると共に、気筒列方向に延びつつ、その高さが漸次低くなるバッフル壁部３８ａが設けられている。バッフル壁部３８ａは、サージタンク３８の底部から、エンジン本体側に凸となる湾曲状に立設されている。また、サージタンク３８は、吸気が流入する気筒列前方側の幅が広く且つその断面容積が大きく形成される。一方、当該サージタンク３８は、気筒列後端側に向かうに連れて幅が狭く且つ断面容積が小さくなるように形成されている。
【００５１】
なお、バッフル壁部３８ａを含むサージタンク３８、及び吸気マニホールド３９を構成する部材は、特に限定されないが、耐熱性に優れた合成樹脂材であれば、所望の形状を持つバッフル壁部３８ａをサージタンク３８と一体に形成することも容易となる。
【００５２】
この構成により、バッフル壁部３８ａは、サージタンク３８の内側に凹状となるので、このバッフル壁部３８ａの形成に伴う吸気の流通抵抗が低減される。さらに、サージタンク３８における下流側の断面容積が小さくなることにより、凝縮水の良好な分配性を確保することができる
【産業上の利用可能性】
【００５３】
本発明は、吸気の分配性能及び凝縮水の分配性能を向上して凝縮水が特定の気筒に偏って失火することを防止でき、多気筒エンジンの吸気装置として有用である。
【符号の説明】
【００５４】
１      エンジン（過給機付エンジン）
１０    エンジン本体
３０    吸気経路
３０ａ  第１通路
３０ｂ  接続吸気管（導入路）
３１    エアクリーナ
３２    ターボチャージャ
３２ａ  コンプレッサホイール
３２ｂ  タービンホイール
３３    吸気調整弁
３７    インタークーラ
３８    サージタンク
３８ａ  バッフル壁部
３９    吸気マニホールド
５０    排気通路
５５    内部ＥＧＲ通路
５６    外部ＥＧＲ通路
【図１】
2020002796.tif 000003
【図２】
2020002796.tif 000004
【図３】
2020002796.tif 000005
【図４】
2020002796.tif 000006
【図５】
2020002796.tif 000007
【図６】
2020002796.tif 000008
【図７】
2020002796.tif 000009
【図８】
2020002796.tif 000010